(57)【要約】【課題】負荷時タップ切換器の電動操作時に、電動操作機構の回転機構部を露出させないようにする。【解決手段】負荷時タップ切換器と連結される出力軸４と、出力軸に回転駆動力を与える電動機５と、この切換器を昇圧及び降圧方向に切り換えるための昇降圧切換スイッチ６と、切換器を手動で駆動するためのハンドル軸７と、タップ表示器７と、制御装置９とを備える。さらに、ハンドル挿入口１１が開閉自在となるように設けられたシャッター２０と、シャッターに連動して、電動機への回路を開閉する電動機開閉スイッチ２４とを備える。シャッター２０を作動させて挿入口１１を開状態にさせることにより、スイッチ２４が動作して電動機への回路が開になると共に、ハンドルの挿入口１１への挿入が行え、ハンドルを挿入口１１から引き出すとシャッターが作動して挿入口１１を閉状態にさせることにより、スイッチ２４が動作して電動機への回路が閉になるようにする。【選択図】図３
2006073564.tif 000002
【特許請求の範囲】
【請求項１】
負荷時タップ切換器と連結される出力軸と、前記出力軸に回転駆動力を与える電動機と、前記電動機を操作して負荷時タップ切換器を昇圧及び降圧方向に切り換えるための昇降圧切換スイッチと、前記負荷時タップ切換器を手動で駆動するためのハンドル軸と、タップ表示器と、制御装置とを備えた負荷時タップ切換器の電動操作機構において、
前記ハンドル挿入口が開閉自在となるように設けられたシャッターと、
前記シャッターに連動して、前記電動機への回路を開閉する電動機開閉スイッチとを備え、
前記シャッターを作動させて前記ハンドル挿入口を少なくともハンドルが挿入できる位置まで開状態にさせることにより、前記電動機開閉スイッチが動作して前記電動機への回路が開になると共に、ハンドルの前記ハンドル挿入口への挿入が行え、
前記ハンドルを前記ハンドル挿入口から引き出すと前記シャッターが作動して前記ハンドル挿入口を閉状態にさせることにより、前記電動機開閉スイッチが動作して前記電動機への回路が閉になるようにした負荷時タップ切換器の電動操作機構。
【請求項２】
前記シャッターは、開閉用操作レバーが設けられ、前記開閉用操作レバーにより前記ハンドル挿入口を開状態にする請求項１に記載の負荷時タップ切換器の電動操作機構。
【請求項３】
前記シャッターは、前記シャッターを作動させて前記ハンドル挿入口を開状態にさせることにより付勢したバネの力により、前記ハンドル挿入口を閉状態にする請求項１及び２に記載の負荷時タップ切換器の電動操作機構。
【発明の詳細な説明】
【技術分野】
【０００１】
本発明は、電動操作及び手動操作に対応させた負荷時タップ切換器の電動操作機構に関するものである。
【背景技術】
【０００２】
従来の一般的な負荷時タップ切換器の電動操作機構は、例えば、図４に示すように、箱体１に収容されて、負荷時タップ切換器を設けた図示しない変圧器のタンク側壁に取り付けられており、箱体１には扉２が開閉自在に取り付けられ、扉２には覗き窓３が設けられている。この電動操作機構は、例えば、図５に示すように、図示しない負荷時タップ切換器と連結される出力軸４と、出力軸４に回転駆動力を与える電動機５と、電動機５を操作して負荷時タップ切換器を昇圧及び降圧方向に切り換えるための昇降圧切換スイッチ６と、負荷時タップ切換器を手動で駆動するためのハンドル軸７と、タップ表示器８と、制御装置９とから主に構成されている。また、電動操作機構は、昇降圧切換スイッチ６により電動機５を強制的に動作、すなわち、電動操作させて負荷時タップ切換器を駆動させることができ、また、ハンドル軸７を手動操作しても負荷時タップ切換器を駆動させることができるように電気的及び機械的に構成されている（特許文献１参照）。なお、箱体１の前面には図５に示すように、電動機５等の回転機構部を覆うと共に、タップ表示器８の表示内容が見られるように矩形状の切抜部を設けて形成された保護パネル１０と、昇降圧切換スイッチ６が取り付けられると共に、ハンドル軸７を操作するためのハンドル挿入口１１が設けられた操作パネル１２と、制御装置９が取り付けられた制御装置パネル１３とが配置されている。
【０００３】
活線状態での点検・保守等時に、扉２が開かれると、タップ切換信号が出力されても制御装置９に入力されなくなり、電動機５が動作しないようになっているが、点検・保守等のために、電動機５を強制的に動作させることができるようになっている。手動操作の際には、図示しないＬ字状のハンドルをハンドル挿入口１１に挿入し、ハンドルがハンドル軸７に係止されると、電動機５が電気的に動作しないようにしている（特許文献２参照）。なお、ハンドルをハンドル軸７に係止させるために、ハンドル軸７の端部に凸部を形成させることもある。
【特許文献１】特開平１１−９７２５８号公報（図１ないし図４）
【特許文献２】特開２００３−７５５０号公報（図１ないし図３）
【発明の開示】
【発明が解決しようとする課題】
【０００４】
ところで、ハンドル挿入口１１は、ハンドルが挿入し易いように比較的大きく開口され、また、ハンドル軸７の端部は、ハンドルがハンドル軸７に係止し易いようにハンドル挿入口１１の近傍に延進されているので、電動操作の際に、作業者が誤って高速回転中のハンドル軸７に指を触れる虞があるという問題がある。
【０００５】
本発明の目的は、電動操作時に回転機構部を露出させないようにした負荷時タップ切換器の電動操作機構を提供することにある。
【課題を解決するための手段】
【０００６】
第１の発明は、負荷時タップ切換器と連結される出力軸と、出力軸に回転駆動力を与える電動機と、電動機を操作して負荷時タップ切換器を昇圧及び降圧方向に切り換えるための昇降圧切換スイッチと、負荷時タップ切換器を手動で駆動するためのハンドル軸と、タップ表示器と、制御装置とを備えた負荷時タップ切換器の電動操作機構を対象とし、ハンドル挿入口が開閉自在となるように設けられたシャッターと、シャッターに連動して、電動機への回路を開閉する電動機開閉スイッチとを備え、シャッターを作動させてハンドル挿入口を少なくともハンドルが挿入できる位置まで開状態にさせることにより、電動機開閉スイッチが動作して電動機への回路が開になると共に、ハンドルのハンドル挿入口への挿入が行え、ハンドルをハンドル挿入口から引き出すとシャッターが作動してハンドル挿入口を閉状態にさせることにより、電動機開閉スイッチが動作して電動機への回路が閉になるようにしたものである。
【０００７】
第２の発明は、シャッターは、開閉用操作レバーが設けられ、開閉用操作レバーによりハンドル挿入口を開状態にするようにしたものである。
【０００８】
第３の発明は、シャッターは、シャッターを作動させてハンドル挿入口を開状態にさせることにより付勢したバネの力により、ハンドル７挿入口を閉状態にするようにしたものである。
【発明の効果】
【０００９】
以上のように、第１の発明によれば、ハンドル挿入口が開閉自在となるように設けられたシャッターと、シャッターに連動して、電動機への回路を開閉するスイッチとを備え、ハンドルをハンドル挿入口から引き出すとシャッターが作動してハンドル挿入口を閉状態にさせることにより、手動操作時以外はハンドル挿入口が閉じられているので、作業者は何の問題もなく電動操作することができる。
【００１０】
第２の発明によれば、シャッターは、開閉用操作レバーが設けられたことにより、容易に開状態にさせられるので、この構成を簡素化することができる。
【００１１】
第３の発明によれば、シャッターは、ハンドル挿入口を開状態にしたときに付勢されたバネの力により、常に元の位置に戻ろうとする力が働いているので、ハンドルがハンドル挿入口から引き出されると、ハンドル挿入口を自動的に閉状態にさせることができる。
【発明を実施するための最良の形態】
【００１２】
図１は、本発明に係わる負荷時タップ切換器の電動操作機構の一実施形態を示す概略構成図である。図２は、本発明に係わる負荷時タップ切換器の電動操作機構の一実施形態の要部前面を示す概略構成図で、（Ａ）はハンドル挿入口の閉状態を示す概略構成図、（Ｂ）はハンドル挿入口の開状態を示す概略構成図である。図３は、本発明に係わる負荷時タップ切換器の電動操作機構の一実施形態の要部裏面を示す概略構成図で、（Ａ）はハンドル挿入口の閉状態を示す概略構成図、（Ｂ）はハンドル挿入口の開状態を示す概略構成図である。
【００１３】
図示するように、図４と同様に、箱体１に収容されて、負荷時タップ切換器を設けた図示しない変圧器のタンク側壁に取り付けられており、箱体１には扉２が開閉自在に取り付けられ、扉２には覗き窓３が設けられている。この電動操作機構は、負荷時タップ切換器と連結される出力軸４と、出力軸４に回転駆動力を与える電動機５と、電動機５を操作して負荷時タップ切換器を昇圧及び降圧方向に切り換えるための昇降圧切換スイッチ６と、負荷時タップ切換器を手動で駆動するためのハンドル軸７と、タップ表示器８と、制御装置９とから主に構成されている。また、電動操作機構は、昇降圧切換スイッチ６により電動機５を強制的に動作、すなわち、電動操作させて負荷時タップ切換器を駆動させることができ、また、ハンドル軸７を手動操作しても負荷時タップ切換器を駆動させることができるように電気的及び機械的に構成されている。なお、箱体１の前面には図１に示すように、電動機５等の回転機構部を覆うと共に、タップ表示器８の表示部が見られるように矩形状の切欠部を設けて形成された保護パネル１０と、昇降圧切換スイッチ６が取り付けられ、また、ハンドル軸７を操作するためのシャッター２０付きのハンドル挿入口１１を設けた操作パネル１２と、制御装置９が取り付けられた制御装置パネル１３とが配置されている。
【００１４】
操作パネル１２の裏面には、ハンドル挿入口１１が開閉自在となるように板状のシャッター２０が近接状態で対向配置されている。シャッター２０は、操作パネル１２の裏面と近接状態を保持しつつ回動されるように、操作パネル１２に裏面に直立して取り付けられたピン２１に軸支されている。ピン２１には、コイル状のバネ２２が挿入されており、バネ２２はその両端が適宜の長さの直線状部分を有し、一端２２ａは直線状に形成され、他端２２ｂはリング状に形成されている。バネ２２の一端２２ａは、シャッター２０を回動させた際にバネ２２を付勢するために、シャッター２０の平坦部２０ａの端部に、操作パネル１２と遠ざかる方向に延進して形成されたＬ字状の折曲部２０ｂの内側面（バネ付勢面）に当接されている。バネ２２の他端２２ｂは、バネ２２を付勢する際にバネ２２を固定するために、操作パネル１２の裏面に直立して取り付けられたピン２３に挿入されている。
【００１５】
操作パネル１２の裏面にはまた、従来と同様に電動操作の際に、電動機５を動作させ、手動操作の際に、電動機５を動作させないための電動機開閉スイッチとして、例えば、マイクロスイッチ２４が取り付けられており、マイクロスイッチ２４のアクチュエータ２４ａの先端に回転自在に装着されたローラ２４ｂが、シャッター２０の回動位置に応じてシャッター２０の折曲部２０ｂの外側面（アクチュエータ駆動面）に当接して押され、また、折曲部２０ｂの外側面（アクチュエータ駆動面）から解放されるようになっている。
【００１６】
シャッター２０には、その前面に棒状の開閉用操作レバー２５が直立して取り付けられており、開閉用操作レバー２５の取付位置は、ハンドル挿入口１１の閉状態が確保されているシャッター２０の位置から、図示しないハンドルをハンドル挿入口１１に挿入するのに支障のないシャッター２０の位置までとなる回動範囲が、ハンドル挿入口１１の開口範囲以内になるようにしている。シャッター２０にはまた、例えば、直角状の切欠部２０ｃが設けられており、シャッター２０が必要以上に開かないようにするために、その切欠部２０ｃはピン２３に突き当たるような形状になっている。
【００１７】
このような構成において、電動操作の際には、図２（Ａ）に示すように、ハンドル挿入口１１はシャッター２０により完全に閉状態が確保されている。この状態では、図３（Ａ）に示すように、マイクロスイッチ２４のローラ２４ｂが、シャッター２０の折曲部２０ｂの外側面（アクチュエータ駆動面）に当接して押されているので、マイクロスイッチ２４が動作して電動機５への回路が閉になり、作業者は何の問題もなく昇降圧切換スイッチ６により、電動操作することができる。
【００１８】
手動操作の際には、図２（Ｂ）に示すように、開閉用操作レバー２５を持って、図示しないハンドルをハンドル挿入口１１に挿入するのに支障のない位置までシャッター２０を回動させると、ハンドル挿入口１１はシャッター２０により開状態が確保されている。この状態では、図３（Ｂ）に示すように、マイクロスイッチ２４のローラ２４ｂが、シャッター２０の折曲部２０ｂの外側面（アクチュエータ駆動面）から解放されるので、マイクロスイッチ２４が動作して電動機５への回路が開になる。その後、ハンドルをハンドル挿入口１１に挿入し、ハンドルをハンドル軸７に係止する。
【００１９】
手動操作終了の際には、開閉用操作レバー２５を離すと、ハンドル挿入口１１を開状態にするために、シャッター２０を回動させたときにバネ２２に付勢されたバネの力より、シャッター２０の平坦部２０ａの端面がハンドルの軸方向に押さえることになる。この状態から、ハンドルをハンドル挿入口１１から引き出すと、シャッター２０の平坦部２０ａの端面がハンドルから解放される。シャッターは、付勢されたバネの力により、常に元の位置に戻ろうとする力が働いているので、シャッター１１が作動してハンドル挿入口１１が自動的に閉状態にされると共に、マイクロスイッチ２４が動作して電動機５への回路が閉になる。すなわち、図２（Ａ）に示す状態に戻る。
【図面の簡単な説明】
【００２０】
【図１】本発明に係わる負荷時タップ切換器の電動操作機構の一実施形態の内部構造を示す概略構成図である。
【図２】本発明に係わる負荷時タップ切換器の電動操作機構の一実施形態の要部前面を示す概略構成図で、（Ａ）はハンドル挿入口の閉状態を示す概略構成図、（Ｂ）はハンドル挿入口の開状態を示す概略構成図である。
【図３】本発明に係わる負荷時タップ切換器の電動操作機構の一実施形態の要部裏面を示す概略構成図で、（Ａ）はハンドル挿入口の閉状態を示す概略構成図、（Ｂ）はハンドル挿入口の開状態を示す概略構成図である。
【図４】従来の一般的な負荷時タップ切換器の電動操作機構の外観図である。
【図５】従来の一般的な負荷時タップ切換器の電動操作機構の内部構造を示す概略構成図である。
【符号の説明】
【００２１】
４  出力軸
５  電動機
６  昇降圧切換スイッチ
７  ハンドル軸
８  タップ表示器
９  制御装置
１１  ハンドル挿入口
２０  シャッター
２２  バネ
２４  電動機開閉スイッチ
２５  開閉用操作レバー
【図１】
2006073564.tif 000003
【図２】
2006073564.tif 000004
【図３】
2006073564.tif 000005
【図４】
2006073564.tif 000006
【図５】
2006073564.tif 000007